(57)【要約】【課題】ファスナ開走行側への過大スライドや離脱を防止可能なスライダ構造体を提供する。【解決手段】袋体９の開口部９ａの一方の内面側に設けられたファスナ用の雄条部Ｆａと上記開口部９ａの他方の内面側に設けられたファスナ用の雌条部Ｆｂとから成るファスナＦの分離と嵌合をおこなうためのスライダ構造体であって、嵌合状態の雄条部Ｆａと雌条部Ｆｂを分離させるための分離用突起部11を有する第１スライダ部材１と、分離状態の雄条部Ｆａと雌条部Ｆｂを嵌合させるための狭窄路21を有する第２スライダ部材２とを、嵌合して一体化し、分離用突起部11は、ファスナＦの雄条部Ｆａ及び雌条部Ｆｂよりも下方側Ｔｂに延伸状の袋内部侵入部11ｂと、袋内部侵入部11ｂからファスナ開走行側Ｎｂへ突設され袋内部90の一側縁部９ｂに当接してファスナ開走行側Ｎｂへの過大スライドを阻止するためのストッパ部11ｅを有するものである。【選択図】図９
2015205700.tif 000002
【特許請求の範囲】
【請求項１】
袋体（９）の開口部（９ａ）の一方の内面側に設けられたファスナ用の雄条部（Ｆａ）と上記開口部（９ａ）の他方の内面側に設けられたファスナ用の雌条部（Ｆｂ）とから成るファスナ（Ｆ）の分離と嵌合をおこなうためのスライダ構造体に於て、
嵌合状態の上記雄条部（Ｆａ）と上記雌条部（Ｆｂ）を分離させるための分離用突起部（11）を有する第１スライダ部材（１）と、分離状態の上記雄条部（Ｆａ）と上記雌条部（Ｆｂ）を嵌合させるための狭窄路（21）を有する第２スライダ部材（２）とを、嵌合して一体化し、
上記分離用突起部（11）は、上記ファスナ（Ｆ）の上記雄条部（Ｆａ）及び上記雌条部（Ｆｂ）よりも下方側（Ｔｂ）に延伸状の袋内部侵入部（11ｂ）と、該袋内部侵入部（11ｂ）からファスナ開走行側（Ｎｂ）へ突設され袋内部（90）の一側縁部（９ｂ）に当接して上記ファスナ開走行側（Ｎｂ）への過大スライドを阻止するためのストッパ部（11ｅ）を有することを特徴とするスライダ構造体。
【請求項２】
上記分離用突起部（11）は、上記袋内部侵入部（11ｂ）に、上記雄条部（Ｆａ）と上記雌条部（Ｆｂ）の下方側（Ｔｂ）への抜けを阻止するための係止面（11ｄ）を形成する膨出部（11ｃ）を有している請求項１記載のスライダ構造体。
【請求項３】
上記狭窄路（21）の天井面（21ａ）に、上記袋体（９）の一側縁部（９ｂ）の上部（91）に当接して上記ファスナ開走行側（Ｎｂ）への過大スライドを阻止するための小突起（26）を形成した請求項１又は２記載のスライダ構造体。
【発明の詳細な説明】
【技術分野】
【０００１】
本発明は、ファスナを開閉するためのスライダ構造体に関する。
【背景技術】
【０００２】
従来、袋体の開口部に設けた雄条部と雌条部から成るファスナを開閉するためのスライダ構造体は、開口部を跨ぐように取付けていた（例えば、特許文献１参照）。
【先行技術文献】
【特許文献】
【０００３】
【特許文献１】実開平４−７７９３５号公報
【発明の概要】
【発明が解決しようとする課題】
【０００４】
従来は、ファスナを開くようにスライダ構造体をスライドさせると、図12に示すように、スライダ構造体Ｓの後端面Ｓｂが、ファスナ開走行終着側の側縁部９ｂの上部91を乗り越えて、袋外方側に突出するような過大スライド（オーバーラン）や離脱が発生し、所定の姿勢と位置に戻すのに手間と時間がかかるといった問題があった。
【０００５】
そこで、本発明は、ファスナ開走行側への過大スライドや離脱を防止可能なスライダ構造体の提供を目的とする。
【課題を解決するための手段】
【０００６】
上記目的を達成するために、本発明のスライダ構造体は、袋体の開口部の一方の内面側に設けられたファスナ用の雄条部と上記開口部の他方の内面側に設けられたファスナ用の雌条部とから成るファスナの分離と嵌合を行うためのスライダ構造体に於て、嵌合状態の上記雄条部と上記雌条部を分離させるための分離用突起部を有する第１スライダ部材と、分離状態の上記雄条部と上記雌条部を嵌合させるための狭窄路を有する第２スライダ部材とを、嵌合して一体化し、上記分離用突起部は、上記ファスナの上記雄条部及び上記雌条部よりも下方側に延伸状の袋内部侵入部と、該袋内部侵入部からファスナ開走行側へ突設され袋内部の一側縁部に当接して上記ファスナ開走行側への過大スライドを阻止するためのストッパ部を有するものである。
また、上記分離用突起部は、上記袋内部侵入部に、上記雄条部と上記雌条部の下方側への抜けを阻止するための係止面を形成する膨出部を有しているものである。
また、上記狭窄路の天井面に、上記袋体の一側縁部の上部に当接して上記ファスナ開走行側への過大スライドを阻止するための小突起を形成したものである。
【発明の効果】
【０００７】
本発明によれば、スライダ構造体をファスナ開走行側へスライドさせても、袋体の一側縁部（ファスナ開走行終着側の側縁部）の上部を乗り上げるような、或いは、スライダ構造体の後面が一側縁部から袋外方側に突出するような過大スライドを防止し、確実かつ安定して停止する。袋体からスライダ構造体が不意に離脱するのを防止でき、スライダ構造体の紛失を防止できる。
【図面の簡単な説明】
【０００８】
【図１】本発明の実施の一形態の袋取着状態を示す側面図である。
【図２】袋取着状態を示す要部断面斜視図である。
【図３】実施形態を示す底面図である。
【図４】図３のＡ−Ａ断面図である。
【図５】半裁断面正面図である。
【図６】半裁断面背面図である。
【図７】後上方から見た分解斜視図である。
【図８】前下方から見た分解斜視図である。
【図９】袋取着状態の断面側面図である。
【図１０】袋取着状態の要部拡大断面正面図である。
【図１１】狭窄路の断面正面図である。
【図１２】従来技術の問題点を説明するための断面側面図である。
【発明を実施するための形態】
【０００９】
以下、図示の実施形態に基づき本発明を詳説する。
本発明に係るスライダ構造体は、図１及び図２に示すように、袋体９の開口部９ａの一方の袋壁部98の内面側に設けられたファスナ用の雄条部Ｆａと、袋体９の開口部９ａの他方の袋壁部99の内面側に設けられたファスナ用の雌条部Ｆｂと、から成るファスナＦの分離・嵌合（開閉）を行うためのものであって、袋体９にファスナ長手方向（前後方向）Ｎにスライド自在に取着して、前方側Ｎａへスライドすることで後方側ＮｂのファスナＦを閉状態にし、後方側Ｎｂへスライドすることで前方側ＮａのファスナＦを開状態にするものである。なお、前方側Ｎａをファスナ閉走行側Ｎａと呼び、後方側Ｎｂをファスナ開走行側Ｎｂと呼ぶ場合がある。
【００１０】
図２乃至図８に示すように、嵌合状態の雄条部Ｆａと雌条部Ｆｂを分離させる（ファスナＦを開く）ための分離用突起部11を前部（前方側Ｎａ）に有する樹脂製の第１スライダ部材１と、分離状態の雄条部Ｆａと雌条部Ｆｂとを嵌合させるための狭窄路21を後部（後方側Ｎｂ）に有する樹脂製の第２スライダ部材２と、を嵌合して、一体化している（組立一体化構造品としている）。
【００１１】
第１スライダ部材１は、袋体９に取着した状態（袋取着状態）で、開口部９ａの上方側（袋外方側）Ｔａに配設される第１天井壁部19と、天井壁部19によって連結された一対の第１左右側壁部18，18と、天井壁部19の前部の下面かつ左右中央位置から下方側（袋内方側）Ｔｂへ突出して嵌合状態の雄条部Ｆａと雌条部Ｆｂを分離させるための分離用突起部11と、を有している。また、第１スライダ部材１は、左右側壁部18，18の後部に左右内方へ突出する嵌合爪部18ａ，18ａを有している。
【００１２】
第２スライダ部材２は、袋取着状態で袋体９の開口部９ａの上方側Ｔａに配設される第２天井壁部29と、第２天井壁部29の左右両側縁部夫々から所定寸法左右内方側の位置で第２天井壁部29から下方へ突出する一対の第２左右側壁部28，28と、第２左右側壁部28，28の下方端の夫々に連結され、袋体９の開口部９ａが差し込まれるスリット22を形成する一対の左右底壁部27，27と、を有している。また、第２スライダ部材２の第２左右側壁部28，28は、第１スライダ部材１の嵌合爪部18ａ，18ａが嵌合（係合）する引掛用の段差部28ａ，28ａを有している。
【００１３】
さらに、第２スライダ部材２は、第２天井壁部29の下面と、第２左右側壁部28，28の内側面と、左右底壁部27，27の左右内側縁部の上面27ａと、で形成され（包囲され）分離状態の雄条部Ｆａと雌条部Ｆｂを嵌合させるための狭窄路21を有している。
また、左右底壁部27，27の左右内側面で形成され、前方へ向かうにつれてスリット幅が拡大する前方拡大形状のスリット22を有している。
また、第２天井壁部29の左右側縁部の下面と、第２左右側壁部28，28の左右外側面と、左右底壁部27，27の左右外側縁部の上面27ｂと、によって形成され左右外方に開口する（前後方向Ｎに沿った）嵌合用の凹溝23を左右一対に有している。
【００１４】
そして、第１スライダ部材１と第２スライダ部材２は、前後方向Ｎに相互に接近することで、第１スライダ部材１の第１左右側壁部18，18の後方突出状片部位が、第２スライダ部材２の嵌合用の凹溝23，23に差し込まれ、嵌合爪部18ａが段差部28ａに嵌合（係合）して一体化し、平面視及び側面視矩形状（直方体状）のブロック型のスライダ構造体３を形成する。
【００１５】
つまり、スライダ構造体３（第１スライダ部材１と第２スライダ部材２の嵌合状態）は、第１天井壁部19と第２天井壁部29が一枚板状（面一状）に密着して（接続して）形成される上壁部と、第１左右側壁部18，18と第２左右側壁部28，28が嵌合して形成される左右側壁部と、第２スライダ部材２の左右底壁部27，27によって形成される下壁部と、その下壁部によって形成され一方の袋壁部98及び他方の袋壁部99（図10及び図11参照）が挿通するスリット22と、を有している。そして、前方内部に分離用突起部11と、その分離用突起部11によって区分けされる雄条部挿通路と雌条部挿通路と、前後中間内部に形成される合流路と、後方内部の狭窄路21と、を有する平面視Ｙ字状のファスナ通過路を有している。
【００１６】
さらに、図９に示すように、第１スライダ部材１の分離用突起部11は、第１天井壁部19の下面から下方側Ｔｂへ突出して雄条部Ｆａと雌条部Ｆｂの間に割り込むための板状の柱部11ａと、柱部11ａの下端から下方側Ｔｂへ延伸状に設けられファスナＦよりも下方位置となる板状の袋内部侵入部11ｂと、ファスナＦよりも下方位置で袋内部侵入部11ｂの下部からファスナ開走行側（後方側）Ｎｂへ突設された板状（舌片状）のストッパ部11ｅと、を有している。つまり、分離用突起部11を、側面視Ｌ字状に形成している。
【００１７】
さらに、図10に示すように、第１スライダ部材１の分離用突起部11は、袋内部侵入部11ｂの上部に、左右両側に係止面11ｄ，11ｄを形成する膨出部11ｃを有している。
係止面11ｄ，11ｄは、袋取着状態で、ファスナＦ（雄条部Ｆａと雌条部Ｆｂ）の下方側Ｔｂ（袋内部90）に配設される。また、スリット22内の前部に配設される（図３参照）。
【００１８】
また、正面視で、膨出部11ｃの左右下角部をアール形状に形成して、分離用突起部11を、上方側Ｔａから、袋体９の開口部９ａへ差し込み易くしている。
なお、柱部11ａや袋内部侵入部11ｂや膨出部11ｃの平面視形状や横断面形状、袋内部侵入部11ｂと膨出部11ｃの平面視の位置関係は、自由である。つまり、ファスナＦの下方位置に左右両側に左右一対の係止面（鍔状部）11ｄ，11ｄを形成する形状であれば良い。
【００１９】
さらに、図11に示すように、第２スライダ部材２は、狭窄路21の天井面（天井壁部29の下面において狭窄路21を形成する面）21ａに下方側Ｔｂへ突出する小突起26を形成している。
小突起26は、袋取着状態で、一方の袋壁部98の開口端縁95と他方の袋壁部99の開口端縁95の間（袋左右内方）に配設される。
小突起26の下端面26ａを、袋取着状態で、開口部９ａの開口端縁（開口上端縁）95，95よりも下方側ＴｂかつファスナＦの上端（雌条部Ｆｂの上端）Ｆｄよりも上方側Ｔａとなるように設けている。ファスナＦの上端とは、図例では雌条部Ｆｂの凹溝を形成する上壁部の上面である。
【００２０】
また、図３に示すように、狭窄路21の側面を、平面視で、前方側Ｎａへ向かうにつれて左右外方へ傾斜するように形成している。つまり、狭窄路21を平面視前方拡大形状とし、雄条部Ｆａと雌条部Ｆｂがスムーズに接近するように形成している。
【００２１】
また、図４に示すように、ストッパ部11ｅの突出端（後端）11ｆと、小突起26の後端26ｆの前後方向Ｎ位置を略一致させている。この略一致とは、前後方向位置の差（ズレ）がストッパ部11ｅの左右幅寸法の５０％以内（例えば、ストッパ部11ｅの左右幅寸法が１ｍｍである場合は、０．５ｍｍ以内）であることを言う。
【００２２】
また、図６に示すように、分離用突起部11（ストッパ部11ｅ）の左右方向中心線と、小突起26の左右方向中心線の左右方向Ｗ位置を略一致させている。この略一致とは、ストッパ部11ｅの左右幅寸法の５０％以内（例えば、ストッパ部11ｅの左右幅寸法が１ｍｍである場合は、０．５ｍｍ以内）で、ストッパ部11ｅの左右方向中心線と小突起26の左右方向中心線とが接近乃至一致していることを言う。
また、ストッパ部11ｅの左右幅寸法と、小突起26の左右幅寸法を略一致させている。この略一致とは、ストッパ部11ｅの左右幅寸法と小突起26の左右幅寸法の差が、ストッパ部11ｅの左右幅寸法の５０％以内（例えば、ストッパ部11ｅの左右幅寸法が１ｍｍである場合は、０．５ｍｍ以内）であることを言う。
【００２３】
次に、本発明のスライダ構造体の実施の一形態の使用方法（作用）について説明する。
図９に示すように、スライダ構造体３をファスナ開走行側Ｎｂへスライドさせると、ストッパ部11ｅの突出端11ｆが、袋内部90の一側縁部９ｂ（ファスナ下方位置かつファスナ近傍の袋内側縁96）に、当接すると共に、小突起26が、一対の袋壁部98，99の開口端縁95，95の間（左右内方）で一側縁部９ｂの上部91（ファスナ上方位置かつファスナ近傍の上部内側縁91ｅ）に、当接して、スライダ構造体３のスライドを阻止する。つまり、スライダ構造体３がファスナＦの上方位置と下方位置の両方で当接して停止する。
スライダ構造体３の後部が、袋体９の一側縁部（ファスナ開走行終着側の側縁部）９ｂの上部91に乗り上げるような、或いは、スライダ構造体３の後端面３ｂが一側縁部９ｂから袋外方側に突出するような過大スライド（オーバーラン）や乗り越えて離脱するのを阻止する。
【００２４】
そして、ファスナＦを開閉操作する際（前後方向Ｎにスライドさせる際）や、袋体９を把持する際に、スライダ構造体３を上方へ持ち上げるような過剰な引抜き力が付与された場合に、図10に二点鎖線で示すように、左右の係止面11ｄ，11ｄが夫々、雄条部Ｆａと雌条部Ｆｂが下方へ抜けるのを阻止するように引っ掛かる。つまり、袋体９の開口部９ａ（ファスナＦ）からスライダ構造体３が上方側Ｔａへ離脱するのを防止する。
【００２５】
また、分離用突起部11（柱部11ａと袋内部侵入部11ｂとストッパ部11ｅ）を袋壁部98，99と平行状の１枚板状とすることで、十分な強度を得ながらも、スライドさせる際の摩擦抵抗を低減でき、スムーズな開閉操作が可能となる。柱部11ａの横断面形状を長円形状乃至涙型（滴型）やくさび型にすると、接触摩擦が少なく、ファスナ開方向へのスライド抵抗を低減できる。また、柱部11ａの前端縁を平面視円弧状に形成すると、ファスナ閉方向へのスライド抵抗を低減できる。また、分離用突起部11は、平面視（底面視）で袋壁部98，99に平行状の前後方向一文字型の薄板形状である。
また、図３及び図４に示すように、分離用突起部11の柱部11ａの前端縁（前端）を、スライダ構造体３（第１スライダ部材１の第１天井壁部19）の前端３ａから所定前後寸法Ｋ（例えば１〜２ｍｍ）だけ、後方側Ｎｂに設けている。このように設けることで、前方側ＮａへスライドさせてファスナＦを閉じた状態で、柱部11ａが見えず、美観に優れる。
【００２６】
例えば、ストッパ部11ｅ及び小突起26を有していない図12に示す従来例のスライダ構造体Ｓは、スライダ構造体Ｓの後部乃至中間部が一側縁部９ｂの上部91を乗り越えて、後端面Ｓｂが一側縁部９ｂよりも袋外方側に突出するような過大スライドが発生する。さらに、分離用突起部11が膨出部11ｃを有していないため、過大スライドが発生した際に、前部が上方側Ｔａへ持ち上がり、スライダ構造体Ｓが離脱する場合もあった。このような過大スライドや離脱が発生すると、所定の姿勢と位置（適切な袋取着状態）に戻すのに手間と時間がかかるといった問題があった。つまり、本発明はこのような問題を解決している。
【００２７】
また、図９に於て、一側縁部９ｂの上部91を開口端縁95よりも上方側Ｔａへ大きく突出させるような、融着ハミ出し部を形成して、スライダ構造体３の後端面３ｂに当接させて過大スライドを阻止するように構成したとすると、熱融着潰し部は、硬いプラスチック片のようになるため、指や衣類、又は、カバンの内生地等に引っ掛かり、安全性や使い勝手が悪くなる。本発明は、開口端縁95よりも上方へ突出するような熱融着ハミ出し部を有していない袋体９に取着しても、袋内部90でストッパ部11ｅがファスナＦ近傍の袋内側縁96に当接すると共に、小突起26が上部内側縁91ｅに当接して、確実にファスナ開走行側Ｎｂへの過大スライドを防止できる。したがって、美観と安全性に優れ、使い勝手の良いファスナ用スライダ付き袋体を提供できる。
【００２８】
なお、本発明は、設計変更可能であって、図示省略するが第１スライダ部材１と第２スライダ部材２とを、上下方向Ｔに嵌合する構造とするも良い。第１スライダ部材１と第２スライダ部材２は、凸部と凹部、或いは、突起部と孔部の嵌合にて一体化する構造とするも良い。分離用突起部11の側面視の形状は自由であって、例えば、袋内部侵入部11ｂの上部乃至中間部からストッパ部11ｅを突設させて、分離用突起部11を、側面視で横倒れＴ字状に形成するも良い。
【００２９】
なお、本発明に係るスライダ構造体が適用される（取着する）袋体９は、シート状素材を折曲げて両側縁部９ｂ，９ｃを融着（溶断・溶着）や接着したもの、又は、２枚のシート状素材を対面状に重ね合わせて周縁部の一部を融着や接着し残部を開口部としたものであって、一方の袋壁部98の上端部の内面に、ファスナ用の雄条部Ｆａと固着用帯板部を有する樹脂製のファスナ雄部材を融着や接着等により一体状に固着し、他方の袋壁部99の上端部の内面にファスナ用の雌条部Ｆｂと固着用帯板部を有する樹脂製のファスナ雌部材を融着や接着等により一体状に固着したものである。なお、本発明に於て、ファスナＦとは、雄条部Ｆａと雌条部Ｆｂから成り、固着用帯板部はファスナＦを構成する部位ではない（ファスナＦは固着用帯板部を有していない）。
そして、開口端縁95よりも上方側Ｔａへ突出した熱融着ハミ出し部を有していない（省略した）袋体９及び熱融着ハミ出し部を有する袋体９の両方に適用可能である。また、図示のように、両側縁部９ｂ，９ｃの袋外方側の上角部をアール形状Ｒにして、指や衣類への引っ掛かりを防止したものが、安全性や使い勝手が良く、好ましい。
また、シート状素材は、袋内方となる面（層）が、樹脂製のファスナ雌雄部材を融着可能な樹脂フィルム層を有するものであって、袋外方側の面（層）の材質は自由である。例えば、シート状素材として、樹脂製フィルム材の他に、樹脂製フィルム材の袋外方側面に紙材をラミネートしたものや金属箔を積層一体化したもの等でも良い。
【００３０】
また、本発明の説明を容易にするために、袋体９の開口部９ａが上方開口状となるように袋体９の一方の袋壁部（樹脂フィルム壁部）98及び他方の袋壁部（樹脂フィルム壁部）99を鉛直面状に保持した姿勢を基準姿勢とし、その基準姿勢において鉛直方向を上下方向Ｔと呼んで方向を説明している。また、雄条部Ｆａと雌条部Ｆｂが嵌合・分離のために接近・離間する方向（開口部９ａの開閉方向）を左右方向Ｗとして方向を説明している。また、ファスナ長手方向を前後方向Ｎ或いは走行方向Ｎと呼び、ファスナＦを閉じる際に走行する側をファスナ閉走行前Ｎａ又は前方側Ｎａと呼び、ファスナＦを開く際に走行する側をファスナ開走行側Ｎｂ又は後方側Ｎｂと呼んでいる。したがって、方向を基に、使用状態の姿勢を限定するものではない。
【００３１】
以上のように、本発明のスライダ構造体は、袋体９の開口部９ａの一方の内面側に設けられたファスナ用の雄条部Ｆａと開口部９ａの他方の内面側に設けられたファスナ用の雌条部Ｆｂとから成るファスナＦの分離と嵌合を行うためのスライダ構造体に於て、嵌合状態の雄条部Ｆａと雌条部Ｆｂを分離させるための分離用突起部11を有する第１スライダ部材１と、分離状態の雄条部Ｆａと雌条部Ｆｂを嵌合させるための狭窄路21を有する第２スライダ部材２とを、嵌合して一体化し、分離用突起部11は、ファスナＦの雄条部Ｆａ及び雌条部Ｆｂよりも下方側Ｔｂに延伸状の袋内部侵入部11ｂと、袋内部侵入部11ｂからファスナ開走行側Ｎｂへ突設され袋内部90の一側縁部９ｂに当接してファスナ開走行側Ｎｂへの過大スライドを阻止するためのストッパ部11ｅを有するので、スライダ構造体３をファスナ開走行側Ｎｂへスライドさせても、袋体９の一側縁部（ファスナ開走行終着側の側縁部）９ｂの上端に乗り上げるような、或いは、スライダ構造体３の後端面３ｂが袋体９の一側縁部９ｂよりも袋外方側へ突出するような過大スライドを防止し、確実かつ安定して停止する。袋体９からスライダ構造体３が不意に離脱するのを防止できる。また、開口端縁95から上方側Ｔａへ突出させた熱融着ハミ出し部を形成する必要がなく、美観に優れると共に安全で使い勝手の良いスライダ付き袋体９を提供できる。また、第１スライダ部材１及び第２スライダ部材２とが嵌合して一体化するため、ファスナＦの長手方向両端部が融着にて閉じられた後であっても、第１スライダ部材１を開状態のファスナＦを跨ぐように上方から取着し、第２スライダ部材２を閉状態のファスナＦを跨ぐように上方から差し込んで、第２左右側壁部28，28を左右方向Ｗに弾性変形にて離間させ、スリット22及び狭窄路21を左右方向Ｗに広げて取着し、その後、相互に前後方向Ｎに接近させて嵌合させて、第１左右側壁部18，18の剛性によって第２左右側壁部28，28の広がりを規制して、スライダ構造体３とすることができる。つまり、ファスナ付き袋体９を製造後、或いは、既存のファスナ付き袋体９に後付けできる。また、簡素な構造のため、第１・第２スライダ部材１，２の樹脂成型金型の製作が容易となると共に、樹脂成型工程（作業）において品質を安定させることができる。
【００３２】
また、分離用突起部11は、袋内部侵入部11ｂに、雄条部Ｆａと雌条部Ｆｂの下方側Ｔｂへの抜けを阻止するための係止面11ｄを形成する膨出部11ｃを有しているので、スライドさせる際や把持する際に、袋体９からスライダ構造体３が上方側Ｔａへ不意に離脱するのを防止できる。確実に安定してファスナの開閉操作を行うことができる。
【００３３】
また、狭窄路21の天井面21ａに、袋体９の一側縁部９ｂの上部91に当接してファスナ開走行側Ｎｂへの過大スライドを阻止するための小突起26を形成したので、ストッパ部11ｅと供働きして、より確実に、スライダ構造体３のオーバーランや離脱を防止できる。開操作をして一側縁部９ｂに当接した際に、スライダ構造体３の姿勢を適切な姿勢に保持できる。
【符号の説明】
【００３４】
１  第１スライダ部材
２  第２スライダ部材
９  袋体
９ａ  開口部
９ｂ  一側縁部
11  分離用突起部
11ｂ  袋内部侵入部
11ｃ  膨出部
11ｄ  係止面
11ｅ  ストッパ部
21  狭窄路
21ａ  天井面
26  小突起
90  袋内部
91  上部
Ｆ  ファスナ
Ｆａ  雄条部
Ｆｂ  雌条部
Ｎｂ  ファスナ開走行側
Ｔｂ  下方側
【図１】
2015205700.tif 000003
【図２】
2015205700.tif 000004
【図３】
2015205700.tif 000005
【図４】
2015205700.tif 000006
【図５】
2015205700.tif 000007
【図６】
2015205700.tif 000008
【図７】
2015205700.tif 000009
【図８】
2015205700.tif 000010
【図９】
2015205700.tif 000011
【図１０】
2015205700.tif 000012
【図１１】
2015205700.tif 000013
【図１２】
2015205700.tif 000014